(57)【要約】【課題】  無駄な通信内容をなくし通信時間を短縮でき画像サーバ装置側の負荷を軽減することでシステムのパフォーマンスを向上できる医用画像参照装置、医用画像参照方法及び医用画像参照システムを提供する。【解決手段】  この医用画像参照方法は、医用画像参照装置が医用画像を保存する画像サーバ装置から医用画像を検索し参照する際に、画像サーバ装置にサポートされていない検索項目を検出し、その検出結果を記憶し、その記憶結果に基づいてそのサポートされていない検索項目を出さないように調整する。【選択図】  図７
2006099390.tif 000002
【特許請求の範囲】
【請求項１】
医用画像を保存する画像サーバ装置と接続され医用画像を検索し参照可能な医用画像参照装置であって、
前記画像サーバ装置にサポートされていない検索項目を検出する手段と、
その検出結果を記憶する手段と、
その記憶結果に基づいてそのサポートされていない検索項目を次回の検索より出さないように調整する手段と、を具備する医用画像参照装置。
【請求項２】
医用画像を保存する複数の画像サーバ装置と接続され医用画像を検索し参照可能な医用画像参照装置であって、
前記画像サーバ装置にサポートされていない検索項目を検出する手段と、
その検出結果を記憶する手段と、
その記憶結果に基づいて前記各画像サーバ装置毎にそのサポートされていない検索項目を次回の検索より出さないように調整する手段と、を具備する医用画像参照装置。
【請求項３】
医用画像を保存する画像サーバ装置と接続され医用画像を検索し参照可能な医用画像参照装置であって、
前記画像サーバ装置にサポートされていない検索項目を検出する手段と、
その検出結果を記憶する手段と、
その記憶結果に基づいてそのサポートされていない検索項目について次回から表示しないようにユーザ操作画面を自動的に調整する手段と、を具備する医用画像参照装置。
【請求項４】
前記記憶手段において各検索毎の検出結果に基づいてその記憶結果が更新される請求項１，２または３に記載の医用画像参照装置。
【請求項５】
前記医用画像参照装置はＤＩＣＯＭのＱ／Ｒプロトコルをサポートし、
前記画像サーバ装置はＱ／Ｒサービスクラスを実装する請求項１乃至４のいずれか１項に記載の医用画像参照装置。
【請求項６】
医用画像を保存する画像サーバ装置から医用画像を検索し参照する医用画像参照装置による医用画像参照方法であって、
前記画像サーバ装置にサポートされていない検索項目を検出するステップと、
その検出結果を記憶するステップと、
その記憶結果に基づいてそのサポートされていない検索項目を出さないように調整するステップと、を含む医用画像参照方法。
【請求項７】
医用画像を保存する複数の画像サーバ装置から医用画像を検索し参照する医用画像参照装置による医用画像参照方法であって、
前記画像サーバ装置にサポートされていない検索項目を検出するステップと、
その検出結果を記憶するステップと、
その記憶結果に基づいて前記各画像サーバ装置毎にそのサポートされていない検索項目を出さないように調整するステップと、を含む医用画像参照方法。
【請求項８】
医用画像を保存する画像サーバ装置から医用画像を検索し参照する医用画像参照装置による医用画像参照方法であって、
前記画像サーバ装置にサポートされていない検索項目を検出するステップと、
その検出結果を記憶するステップと、
その記憶結果に基づいてそのサポートされていない検索項目について次回から表示しないようにユーザ操作画面を自動的に調整するステップと、を含む医用画像参照方法。
【請求項９】
前記記憶ステップにおいて前記検索ステップの検出結果に基づいてその記憶結果を更新する請求項６，７または８に記載の医用画像参照装置。
【請求項１０】
前記医用画像参照装置はＤＩＣＯＭのＱ／Ｒプロトコルをサポートし、
前記画像サーバ装置はＱ／Ｒサービスクラスを実装する請求項６乃至９のいずれか１項に記載の医用画像参照方法。
【請求項１１】
医用画像を保存する画像サーバ装置と、請求項１乃至５のいずれか１項に記載の医用画像参照装置と、を接続し、前記医用画像参照装置が前記画像サーバ装置から医用画像を検索し参照可能な医用画像参照システム。
【発明の詳細な説明】
【技術分野】
【０００１】
本発明は、ＤＩＣＯＭのＱ／Ｒプロトコルをサポートしかつ医用画像を保存するＱ／Ｒ画像サーバ装置と接続され医用画像を検索し参照可能な医用画像参照装置、医用画像参照方法及び医用画像参照システムに関するものである。
【背景技術】
【０００２】
現在、医用デジタル画像と通信の標準規格であるＤＩＣＯＭ（Digital Imaging and Communications in Medicine）は目覚ましい発展を続け、国際基準として確固たる地位を占めている。ＤＩＣＯＭ規格を介して、病院内外を区別せず、異なったベンダーの異なった種類のデジタル画像機器を、相互に接続して、患者の画像検査情報のやり取りや画像データの伝送が可能になる。
【０００３】
ＤＩＣＯＭに準拠した診断用の医用画像参照装置（ビューワ）では、１つまたは複数の画像サーバ装置（サーバ）を通信回線によって接続し、ビューワから所望のサーバにアクセスして保管画像情報を取得できるようにしている。
【０００４】
ところで、ＣＴ、ＭＲＩ、ＣＲ等のモダリティ装置はもとより、画像サーバ装置、医用画像参照装置、イメージャ装置などの医用情報装置を製造するメーカは多岐にわたっており、異なるメーカが製造した装置は様々な方式でＤＩＣＯＭ規格を実装している。
【０００５】
例えば、異なった種類の医用画像機器が接続される場合、相手機器の実装しているサービスを検知するため、下記特許文献１では、所定の医用プロトコルに基づき網羅的に相手機器へ送信すること等で相手機器の実装しているサービスを検知する。これにより、相手機器の仕様書などがなくても、相手機器が実装しているサービスに関する必要な情報を入手することができる。特許文献１では、相手機器の実装状況を検知するため、相手機器への網羅的な送信が必要となる。
【０００６】
医用画像参照装置と画像サーバ装置との間で通信を行うとき、医用画像参照装置側から送られる検索項目は、画像サーバ装置側にサポートされていないと、無駄な通信内容になるし、画像サーバ装置にとっても通信内容の解析が必要となるので、特に、複数の医用画像参照装置と接続している場合、パフォーマンスが低下してしまう問題がある。かかる問題を解決するため、同じメーカの医用画像参照装置でも、異なった施設にて異なる画像サーバ装置と接続するときは、検索項目をカスタマイズすることが必要となり、莫大な工数がかかってしまう。
【０００７】
また、ＤＩＣＯＭに準拠した画像通信システムでは、ビューワは所望の画像がどのサーバに保管されているかを予め認識してアクセスする必要がある。ところが、病院の中で、時間が経つと、ある患者の情報は何処に格納されているか、状況不明な場合は、格納しているサーバに到達するまで全てのサーバを順番にアクセスしなければならない。また、複数のサーバの場合、サーバによってサポートされる検索項目が変わるという問題がある。
【特許文献１】特開２００２−２５９２４２号公報
【発明の開示】
【発明が解決しようとする課題】
【０００８】
本発明は、上述のような従来技術の問題に鑑み、無駄な通信内容をなくし通信時間を短縮でき画像サーバ装置側の負荷を軽減することでシステムのパフォーマンスを向上できる医用画像参照装置、医用画像参照方法及び医用画像参照システムを提供することを目的とする。
【課題を解決するための手段】
【０００９】
上記目的を達成するために、本発明による第１の医用画像参照装置は、医用画像を保存する画像サーバ装置と接続され医用画像を検索し参照可能な医用画像参照装置であって、前記画像サーバ装置にサポートされていない検索項目を検出する手段と、その検出結果を記憶する手段と、その記憶結果に基づいてそのサポートされていない検索項目を次回の検索より出さないように調整する手段と、を具備する。
【００１０】
この医用画像参照装置によれば、画像サーバ装置に保存された医用画像を検索したとき、画像サーバ装置にサポートされていない検索項目を検出し、その検出結果に基づいてそのサポートされていない検索項目を次回の検索より出さないようにするので、無駄な通信内容をなくし通信時間を短縮でき画像サーバ装置側の負荷を軽減することでシステムのパフォーマンスを向上できる。
【００１１】
本発明による第２の医用画像参照装置は、医用画像を保存する複数の画像サーバ装置と接続され医用画像を検索し参照可能な医用画像参照装置であって、前記画像サーバ装置にサポートされていない検索項目を検出する手段と、その検出結果を記憶する手段と、その記憶結果に基づいて前記各画像サーバ装置毎にそのサポートされていない検索項目を次回の検索より出さないように調整する手段と、を具備する。
【００１２】
この医用画像参照装置によれば、画像サーバ装置に保存された医用画像を検索したとき、画像サーバ装置にサポートされていない検索項目を検出し、その検出結果に基づいて各画像サーバ装置毎にそのサポートされていない検索項目を次回の検索より出さないようにするので、画像サーバ装置毎に検索項目を自動的にカスタマイズできるとともに、無駄な通信内容をなくし通信時間を短縮でき画像サーバ装置側の負荷を軽減することでシステムのパフォーマンスを向上できる。
【００１３】
本発明による第３の医用画像参照装置は、医用画像を保存する画像サーバ装置と接続され医用画像を検索し参照可能な医用画像参照装置であって、前記画像サーバ装置にサポートされていない検索項目を検出する手段と、その検出結果を記憶する手段と、その記憶結果に基づいてそのサポートされていない検索項目について次回から表示しないようにユーザ操作画面を自動的に調整する手段と、を具備する。
【００１４】
この医用画像参照装置によれば、画像サーバ装置に保存された医用画像を検索したとき、画像サーバ装置にサポートされていない検索項目を検出し、その検出結果に基づいてそのサポートされていない検索項目についてユーザ操作画面を自動的に調整し次回からユーザ操作画面に表示しないので、ユーザが使い易くなりユーザの入力時間を節約できるとともに、無駄な通信内容をなくし通信時間を短縮でき画像サーバ装置側の負荷を軽減することでシステムのパフォーマンスを向上できる。
【００１５】
上記各医用画像参照装置において、前記記憶手段において各検索毎の検出結果に基づいてその記憶結果が更新されることで、新たな検索項目があるとき、サポートされていない検索項目であれば、記憶結果を自動的に更新でき、自動メンテナンスが可能となる。
【００１６】
また、前記医用画像参照装置はＤＩＣＯＭのＱ／Ｒプロトコルをサポートし、前記画像サーバ装置はＱ／Ｒサービスクラスを実装することで、Ｑ／Ｒプロトコルをサポートする医用画像参照装置は、画像サーバ装置がＱ／Ｒサービスクラスを実装してあれば、特別なハードウエアやソフトウエアで構成しなくともよい。
【００１７】
本発明による第１の医用画像参照方法は、医用画像を保存する画像サーバ装置から医用画像を検索し参照する医用画像参照装置による医用画像参照方法であって、前記画像サーバ装置にサポートされていない検索項目を検出するステップと、その検出結果を記憶するステップと、その記憶結果に基づいてそのサポートされていない検索項目を出さないように調整するステップと、を含む。
【００１８】
この医用画像参照方法によれば、画像サーバ装置に保存された医用画像を検索したとき、画像サーバ装置にサポートされていない検索項目を検出し、その検出結果に基づいてそのサポートされていない検索項目を次回の検索より出さないようにするので、無駄な通信内容をなくし通信時間を短縮でき画像サーバ装置側の負荷を軽減することでシステムのパフォーマンスを向上できる。
【００１９】
本発明による第２の医用画像参照方法は、医用画像を保存する複数の画像サーバ装置から医用画像を検索し参照する医用画像参照装置による医用画像参照方法であって、前記画像サーバ装置にサポートされていない検索項目を検出するステップと、その検出結果を記憶するステップと、その記憶結果に基づいて前記各画像サーバ装置毎にそのサポートされていない検索項目を出さないように調整するステップと、を含む。
【００２０】
この医用画像参照方法によれば、画像サーバ装置に保存された医用画像を検索したとき、画像サーバ装置にサポートされていない検索項目を検出し、その検出結果に基づいて各画像サーバ装置毎にそのサポートされていない検索項目を次回の検索より出さないようにするので、画像サーバ装置毎に検索項目を自動的にカスタマイズできるとともに、無駄な通信内容をなくし通信時間を短縮でき画像サーバ装置側の負荷を軽減することでシステムのパフォーマンスを向上できる。
【００２１】
本発明による第３の医用画像参照方法は、医用画像を保存する画像サーバ装置から医用画像を検索し参照する医用画像参照装置による医用画像参照方法であって、前記画像サーバ装置にサポートされていない検索項目を検出するステップと、その検出結果を記憶するステップと、その記憶結果に基づいてそのサポートされていない検索項目について次回から表示しないようにユーザ操作画面を自動的に調整するステップと、を含む。
【００２２】
この医用画像参照方法によれば、画像サーバ装置に保存された医用画像を検索したとき、画像サーバ装置にサポートされていない検索項目を検出し、その検出結果に基づいてそのサポートされていない検索項目についてユーザ操作画面を自動的に調整し次回からユーザ操作画面に表示しないので、ユーザが使い易くなりユーザの入力時間を節約できるとともに、無駄な通信内容をなくし通信時間を短縮でき画像サーバ装置側の負荷を軽減することでシステムのパフォーマンスを向上できる。
【００２３】
上記各医用画像参照方法において、前記記憶ステップにおいて前記検索ステップの検出結果に基づいてその記憶結果を更新することで、新たな検索項目があるとき、サポートされていない検索項目であれば、記憶結果を自動的に更新でき、自動メンテナンスが可能となる。
【００２４】
また、前記医用画像参照装置はＤＩＣＯＭのＱ／Ｒプロトコルをサポートし、前記画像サーバ装置はＱ／Ｒサービスクラスを実装することで、Ｑ／Ｒプロトコルをサポートする医用画像参照装置は、画像サーバ装置がＱ／Ｒサービスクラスを実装してあれば、特別なハードウエアやソフトウエアで構成しなくともよい。
【００２５】
本発明による医用画像参照システムは、医用画像を保存する画像サーバ装置と、上記第１，第２または第３の医用画像参照装置と、を接続し、前記医用画像参照装置が前記画像サーバ装置から医用画像を検索し参照可能なシステムである。
【００２６】
この医用画像参照システムによれば、医用画像参照装置と画像サーバ装置との間で無駄な通信内容をなくし通信時間を短縮でき画像サーバ装置側の負荷を軽減することでシステムのパフォーマンスを向上できる。
【発明の効果】
【００２７】
本発明の医用画像参照装置、医用画像参照方法及び医用画像参照システムによれば、無駄な通信内容をなくし通信時間を短縮でき画像サーバ装置側の負荷を軽減することでシステムのパフォーマンスを向上できる。このように、画像サーバ装置にサポートされていない検索項目を自動的にフィルタすることで最善のパフォーマンスを追求できる。
【発明を実施するための最良の形態】
【００２８】
以下、本発明を実施するための最良の形態について図面を用いて説明する。図１は本実施の形態による医用画像参照装置を含む医用画像参照システムを示すブロック図である。図２は、図１の医用画像参照装置の構成を示すブロック図である。
【００２９】
図１に示す医用画像参照システムは、病院に設置可能なシステムであって、ＣＴ、ＭＲＩ、ＣＲ等の各種のモダリテイ機器で撮影して発生した医用画像を保存し管理する画像サーバ装置５と、画像サーバ装置５で保存された医用画像を診断のとき等にディスプレイに表示する医用画像参照装置６と、がネットワーク１０により接続されている。
【００３０】
図１におけるネットワーク１０は、例えば単一の病院内に敷設されたＬＡＮ(Local Area Network)であったり、ＬＡＮは、単一のＬＡＮセグメントで構成されても、ルータ（またはゲートウェイ）経由で相互接続された複数のＬＡＮセグメントで構成されてもよい。更に、ネットワークは、専用線等を介して遠隔の病院のＬＡＮどうしを接続して構成されるＷＡＮ(Wide Area Network)やインターネットのような広域ネットワークであってもよい。
【００３１】
医用画像参照装置６は、医師が診断のときに医用画像を参照するもので画像ビューワともいわれ、Ｑ／Ｒプロトコルをサポートする。また、画像サーバ装置５は、保存し管理している医用画像を医用画像参照装置６に提供する画像提供機能を有し、また、Ｑ／Ｒサービスクラス(QUERY/RETRIEVE SERVICE CLASS)を実装している。
【００３２】
ここで、Ｑ／Ｒ(Query/Retrieve、問合せ/取得)プロトコル(Ｑ／Ｒ規格とも呼ばれる)とは、クライアント（画像ビューワ）側が画像サーバ装置側の画像情報を検索し、画像を取得するためのプロトコル(Protocol)である。ネットワークを経由する場合に見たいときに見たい画像を見ることのできる唯一のプロトコルであり、ＤＩＣＯＭの中では最も重要なプロトコルのひとつである。
【００３３】
医用画像参照装置６は、パーソナルコンピュータから構成可能であり、図２のように、ネットワーク１０を介して画像サーバ装置５との間で通信を行う通信部１１と、画像サーバ装置５から送信された医用画像を一時的に蓄えたり他の情報を保存する保存部１２と、受信した医用画像を表示する液晶パネルやＣＲＴ等から構成される表示部１３と、ユーザが必要な動作・情報を選択し入力するためのマウス等のポインティングデバイスやキーボード等からなる操作部１４と、を備える。
【００３４】
図２の医用画像参照装置６は、画像サーバ装置５で検索したとき、画像サーバ装置５から返された検索結果を解析し画像サーバ装置５にサポートされていない検索項目を検出する検出部１５を備え、その検出結果を保存部１２に記憶し、その記憶結果（フィルタ）に基づいてそのサポートされていない検索項目を次回の検索より、通信文に入れずに画像サーバ装置５に出さないように調整する調整部１６を更に備える。
【００３５】
図１，図２の医用画像参照装置６における検索項目の自動フィルタについて図３〜図５を参照して説明する。
【００３６】
図３は、図１，図２の医用画像参照装置６と画像サーバ装置５との間で通信を行う際に患者／検査レベルで検索対象となるＤＩＣＯＭ規格に準拠した検査項目を示す図である。図４は図１，図２の医用画像参照装置６が最初に検索を行う際に検索項目を表示した画面の例を示す図である。図５は図４で検索した結果、検索に不要な検査項目を削除した後の画面の例を示す図である。
【００３７】
図１の医用画像参照システムでは、医用画像参照装置６と画像サーバ装置５との間で通信を行い、医用画像参照装置６は患者／検査レベルで図３のようなＤＩＣＯＭ規格に準拠した検索項目に基づいて画像サーバ装置５に登録された医用画像を検索することができる。
【００３８】
医用画像参照装置６が画像サーバ装置５に対し最初に検索を行うとき、図２の医用画像参照装置６の表示部１３には例えば図４のようなユーザ操作画面１３ａが表示され、ユーザ操作画面１３ａに表示された複数の検索項目すべてに操作部１４から情報を入力し、検索ボタン１３ｂを押し下げることで、入力された各検索項目が図２の通信部１１から画像サーバ装置５へ送信される。
【００３９】
画像サーバ装置５は、図４の各検索項目で検索を行い、例えば「民族グループ」以外の検索項目による検索結果を医用画像参照装置６に送信する。医用画像参照装置６は、通信部１１で検索結果を受信し、その検索結果について検出部１５が解析を行い、例えば、検索項目の内の「民族グループ」が返されていないことを検出する。そして、医用画像参照装置６の検出部１５は、「民族グループ」が画像サーバ装置５においてサポートされていないという検出結果を保存部１２に記憶させる。ＤＩＣＯＭ規格に準拠した画像サーバ装置５は、検索項目があっても、サポートされない場合、項目自身を返さないようになっている。
【００４０】
上述のように得られた記憶結果はフィルタと呼ばれ、医用画像参照装置６は、画像サーバ装置５に対する次回の検索より、通信文から「民族グループ」を消して画像サーバ装置５に出ないように調整部１６で調整する。
【００４１】
以上のように、医用画像参照装置６と画像サーバ装置５を新規で接続したとき、医用画像参照装置６側において画像サーバ装置５でサポートされているか否か分からない検索項目は、最初は医用画像参照装置６からそのまま出すが、画像サーバ装置５から返される検索結果を解析し、サポートされていない検索項目を記憶し、これが自動フィルタとして機能し、次回より、サポートされていない検索項目を画像サーバ装置５に出さない。このように画像サーバ装置５にサポートされていない属性を通信文から消すことにより、無駄な通信内容がなくなり、通信時間を短縮でき画像サーバ装置５側の負荷を軽減することで、医用画像参照システムのパフォーマンスを向上できる。
【００４２】
更に、上記フィルタに従い、図２の医用画像参照装置６の調整部１６がＧＵＩ(Graphical User Interface、ユーザ操作画面)を自動的に調整し、その結果、医用画像参照装置６が画像サーバ装置５を次回検索する際には、図５のようにユーザ操作画面１３ａから「民族グループ」の検索項目が削除されている。このようにして、画像サーバ装置５でサポートされていない検索項目をなくし、表示しないようにユーザ操作画面を調整し、ユーザに使わせないようにすることで、操作性を向上でき、入力に要する時間を節約でき、また、人工的な操作を避けることでミスを防止し、操作効率を向上できる。
【００４３】
次に、異なる複数の画像サーバ装置を含む医用画像参照システムについて図６を参照して説明する。図６は本実施の形態による医用画像参照装置を含む別の医用画像参照システムを示すブロック図である。
【００４４】
図６の医用画像参照システムは、図１の医用画像参照システムに別の画像サーバ装置９が追加されたものである。この別の画像サーバ装置９は、同様に、保存し管理している医用画像を医用画像参照装置６に提供する画像提供機能を有し、また、Ｑ／Ｒサービスクラス(QUERY/RETRIEVE SERVICE CLASS)を実装している。
【００４５】
図６の医用画像参照システムにおいて、最初に検索を行う場合、医用画像参照装置６は、表示されるすべての検索項目を画像サーバ装置５，９へ送信し、その返された検索結果を解析し、検索項目「民族グループ」が画像サーバ装置９にサポートされていること及び画像サーバ装置５にサポートされていないことを検出し、フィルタとして記憶する。そして、次回より、画像サーバ装置５に対し検索を行うときは、フィルタに従い、「民族グループ」を通信文にいれないようにし、また、画像サーバ装置９に対し検索を行うときは、「民族グループ」はそのままにする。
【００４６】
上述のように、図６によれば、複数の画像サーバ装置毎に検出結果を記憶することで、検索項目を各画像サーバ装置毎に自動的にカスタマイズでき検索項目を自動メンテナンスでき、このため、事前のカスタマイズは不要となり、莫大な工数がかからない。また、各画像サーバ装置毎に図４，図５のユーザ表示画面を自動的に調整でき、人工的な操作を避けることでミスを防止し、操作効率を向上できる。また、複数の画像サーバ装置毎にサポートされる検索項目が変わっても、自動的に対処できる。
【００４７】
次に、図１，図６の各医用画像参照システムにおける医用画像参照装置６の次回以降の動作（ステップＳ０１乃至Ｓ０８）について図７のフローチャートにより説明する。
【００４８】
まず、医用画像参照装置６が画像サーバ装置５に対し検索を開始すると（Ｓ０１）、図２の検出図１５がその検索項目とフィルタ（図２の保存部１２に記憶した記憶結果）とを照合し（Ｓ０２）、未確認の検索項目を抽出し（Ｓ０３）、未確認の項目があるかどうかを判断する（Ｓ０４）。
【００４９】
そして、未確認項目があるとき、画像サーバ装置５と通信を行い検索が行われ（Ｓ０５）、検出部１５でその未確認項目が画像サーバ装置５から返されるか否かを確認し（Ｓ０６）、返されない項目についてサポートされていないとしてフィルタを記憶し更新する（Ｓ０７）。また、ステップＳ０４において未確認項目がないときには、画像サーバ装置５と通信を行い検索が行われる（Ｓ０８）
【００５０】
上述のように、図７によれば、２回目以降の検索でフィルタに記憶されていない未確認項目があっても、その都度確認し、画像サーバ装置にサポートされていないときには自動的にフィルタを更新でき、自動メンテナンスが可能となる。
【００５１】
上述の図７における医用画像参照装置６の各動作は、医用画像参照装置６の記憶装置等に格納されて起動したプログラムに従って医用画像参照装置６の各部１１乃至１６が制御され、必要な情報処理が実行される。
【００５２】
以上のように、図１，図６の各医用画像参照システムによれば、画像サーバ装置にサポートされていない検索項目を自動的にフィルタすることで、画像サーバ装置未対応項目を自動的に非表示することで、ユーザの使い易さ、利便性を向上でき、最善のパフォーマンスを追求することができる。
【００５３】
また、図１，図６の医用画像参照装置６は、相手機器の画像サーバ装置がＱ／Ｒサービスクラスを実装してあれば、上述の従来技術のような網羅的な送信を行うことなく、使用可能になり、特別なハードウエアやソフトウエアで構成しなくともよい。
【００５４】
以上のように本発明を実施するための最良の形態について説明したが、本発明はこれらに限定されるものではなく、本発明の技術的思想の範囲内で各種の変形が可能である。例えば、図１，図６では、医用画像参照装置は単数であるが、本発明はこれに限定されず、複数の医用画像参照装置をネットワークに接続して使用できることは勿論である。
【図面の簡単な説明】
【００５５】
【図１】本実施の形態による医用画像参照装置を含む医用画像参照システムを示すブロック図である。
【図２】図１の医用画像参照装置の構成を示すブロック図である。
【図３】図１，図２の医用画像参照装置６と画像サーバ装置５との間で通信を行う際に患者／検査レベルで検索対象となるＤＩＣＯＭ規格に準拠した検査項目を示す図である。
【図４】図１，図２の医用画像参照装置６が最初に検索を行う際に検索項目を表示した画面の例を示す図である。
【図５】図４で検索した結果、検索に不要な検査項目を削除した後の画面の例を示す図である。
【図６】本実施の形態による医用画像参照装置を含む別の医用画像参照システムを示すブロック図である。
【図７】図１，図６の各医用画像参照システムにおける医用画像参照装置６の２回目以降の動作を説明するためのフローチャートである。
【符号の説明】
【００５６】
５，９ 画像サーバ装置
６ 医用画像参照装置
１０ ネットワーク
１１ 通信部
１２ 保存部
１３ 表示部
１３ａ ユーザ操作画面
１３ｂ 検索ボタン
１４ 操作部
１５ 検出部
１６ 調整部
【図１】
2006099390.tif 000003
【図２】
2006099390.tif 000004
【図３】
2006099390.tif 000005
【図４】
2006099390.tif 000006
【図５】
2006099390.tif 000007
【図６】
2006099390.tif 000008
【図７】
2006099390.tif 000009